(57)【要約】
【課題】　集積回路の端子数を減らしてコストを下げると共に、オプション回路の付加の有無に関わらず共通の集積回路が使用できるようにする。
【解決手段】　テレビジョン信号を中間周波信号に変換する混合器４と、中間周波信号に同調する中間周波同調回路５と、集積回路１０内に構成されると共に中間周波同調回路５に結合された中間周波増幅器７と、混合器４の前段側に設けられ、特定の受信帯域又はチャンネルで動作状態又は不動作状態に切り替えられるオプション回路２、３とを備え、集積回路１０には中間周波同調回路５から出力された中間周波信号を中間周波増幅器７に入力する入力端子１０ａ、１０ｂとオプション回路２、３の動作を切り替えるための切替制御回路９とを設け、切替制御回路９から出力される切替電圧を入力端子１０ａ、１０ｂを介してオプション回路２、３に供給した。
【選択図】　　　　図１
0003100017.tif 000002
【実用新案登録請求の範囲】
【請求項１】
入力されたテレビジョン信号を中間周波信号に変換して出力する混合器と、前記中間周波信号に同調する中間周波同調回路と、集積回路内に構成されると共に前記中間周波同調回路に結合された中間周波増幅器と、前記混合器の前段側に設けられ、特定の受信帯域又はチャンネルで動作状態又は不動作状態に切り替えられるオプション回路とを備え、前記集積回路には前記中間周波同調回路から出力された前記中間周波信号を前記中間周波増幅器に入力する入力端子と前記オプション回路の動作を切り替えるための切替制御回路とを設け、前記切替制御回路から出力される切替電圧を前記入力端子を介して前記オプション回路に供給したことを特徴とするテレビジョンチューナ。
【請求項２】
前記中間周波増幅器を前記入力端子に交流結合し、切替制御回路はエミッタが接地されると共にコレクタが給電抵抗によって電源にプルアップされたスイッチトランジスタを有し、前記スイッチトランジスタのコレクタを高周波阻止用の抵抗を介して前記入力端子に接続したことを特徴とする請求項１に記載のテレビジョンチューナ。
【請求項３】
前記切替電圧は前記入力端子に一端が接続された抵抗を介して前記オプション回路に供給され、前記抵抗の他端を高周波的に接地したことを特徴とする請求項１又は２に記載のテレビジョンチューナ。
【考案の詳細な説明】
【技術分野】
【０００１】
　本考案はテレビジョンチューナに関し、より詳しくは、付加されたオプション回路の動作切替を簡単にしたテレビジョンチューナに関する。
【背景技術】
【０００２】
　図２は従来のテレビジョンチューナの主要部を示す。集積回路４１内には混合器４２、中間周波増幅器４３が構成される。混合器４２は平衡回路で構成され、その平衡出力端は集積回路４１に設けた二つの出力端子４１ａ、４１ｂに接続される。そして、混合器４２には選択されたテレビジョン信号と局部発振信号とが入力され、中間周波信号が出力端子４１ａ、４１ｂに出力される。中間周波増幅器４３も平衡回路で構成され、その平衡入力端が集積回路４１に設けた二つの入力端子４１ｃ、４１ｄに接続される。
【０００３】
　集積回路３１の外部に設けられた中間周波同調回路４４は容量素子４４ａと、直列接続されたインダクタンス素子４４ｂ、４４ｃとからなる並列同調回路で構成され、出力端子４１ａ、４１ｂ間に接続される。そして、二つのインダクタンス素子４４ｂ、４４ｃの接続点に印加された電源電圧Ｖｃｃが混合器４２に給電される。また、集積回路４１の外部には二つの並列共振回路４５、４６が設けられる。第一の共振回路４５は一方の出力端子４１ａと一方の入力端子４１ｃとの間に結合され、第二の並列共振回路４６は他方の出力端子４１ｂと他方の入力端子４１ｄとの間に結合される。
【０００４】
　以上の構成において、中間周波同調回路４４は中間周波数帯に同調し、第一の並列共振回路４５は中間周波帯に隣接する他のチャンネルの映像中間周波数に共振し、第二の並列共振回路４６は隣接する他のチャンネルの音声中間周波数に共振するように設定される。これによって、隣接チャンネルからの妨害を排除するようにしている（例えば、特許文献１参照。）。
【０００５】
【特許文献１】特開２００３−１５３１０７号公報（図３）
【０００６】
　このようなテレビジョンチューナにおいては、隣接チャンネルからの妨害以外にも、例えばＦＭ放送信号による妨害を避けるために、チューナの入力部（混合器の前段側）にＦＭトラップ回路を設けてＦＭ放送帯を減衰するようにしたり、あるいは、強電界のテレビジョン信号による歪み発生を避けるためにアッテネータを設けてこれを減衰するようにすることがある。しかし、使用目的によってはＦＭトラップ回路やアッテネータを働かせないように切り替える必要があるので、集積回路内に切替制御回路を設け、切替制御回路から出力される切替電圧によってＦＭトラップ回路やアッテネータの動作を切り替えるようにするのが一般的である。
【０００７】
　図３はＦＭトラップ回路やアッテネータ等のオプション回路の動作を切り替えるようにした構成を示す。アンテナ接続端子２１には機能の異なる二つのオプション回路２２、２３が縦続接続される。第一のオプション回路２２は、例えば減衰量が切り替えられるアッテネータであり、受信されたテレビジョン信号の電界強度が大きな場合に受信信号を減衰し、電界強度が小さい場合には信号を減衰しないように切り替えられる。第二のオプション回路２３は、例えばＦＭトラップ回路であり、地上波のテレビジョン信号を受信する場合にはトラップ機能によってＦＭ放送帯を減衰し、ＣＡＴＶのテレビジョン信号を受信する場合にはトラップ機能を無効とするように切り替えられる。
【０００８】
　第二のオプション回路２３と平衡型の混合器２４との間には図示しない入力同調回路、高周波増幅器、段間同調回路等が従属的に接続される。混合器２４には図示しない発振器から局部発振信号（Ｌ．Ｏ）が供給される。混合器２４の出力側には中間周波同調回路２５及び隣接チャンネルトラップ回路２６が接続される。平衡型の中間周波同調回路２５は容量素子２５ａと、直列接続されると共に容量素子２５ａに並列接続された二つのインダクタンス素子２５ｂ、２５ｃとの並列同調回路からなり、中間周波帯のほぼ中心の周波数に同調している。また、並列同調回路には同調のＱを適宜な者とするために抵抗２５ｄが並列接続されている。
【０００９】
　そして、二つのインダクタンス素子２５ｂ、２５ｃの接続点に印加された電源電圧Ｖｃｃが二つのインダクタンス素子２５ｂ、２５ｃを介して混合器２４に供給される。隣接チャンネルトラップ回路２６はインダクタンス素子２６ａと容量素子２６ｂとの並列共振回路からなり、周波数が高い方に隣接するチャンネルに対応する中間周波帯の映像信号を減衰して妨害を排除するものである。
【００１０】
　集積回路２０内には中間周波増幅器２７、バイアス回路２８及び切替制御回路２９が構成される。中間周波増幅器２７は平衡回路で構成される。また、集積回路２０には平行入力端子２０ａ、２０ｂと電源端子２０ｃと二つの切替端子２０ｄ、２０ｅとが設けられる。そして、中間周波同調回路２５の一端が隣接チャンネルトラップ回路２６を介して入力端子２０ａに交流結合され、他端はそのまま入力端子２０ｂに交流結合される。電源端子２０ｃには電源電圧Ｖｃｃが供給される。
【００１１】
　集積回路２０内においては、中間周波増幅器２７の入力端が平行入力端子２０ａ、２０ｂに接続される。また、バイアス回路２８は電源電圧Ｖｃｃからバイアス電圧を作って中間周波増幅器２７の入力端に供給する。これによって、混合器２４から出力された中間周波信号は中間周波同調回路２５、隣接チャンネルトラップ回路２６を介して入力端子２０ａ、２０ｂから中間周波増幅器２７に入力されて増幅される。
【００１２】
　切替制御回路２９は二つのスイッチトランジスタ２９ａ、２９ｂを有し、それらのコレクタには電源電圧Ｖｃｃが印加される。一方のスイッチトランジスタ２９ａのエミッタは一方の切替端子２０ｄに接続され、他方のスイッチトランジスタ２９ｂのエミッタは他方の切替端子２０ｅに接続される。そして、各ベースにはそれぞれのスイッチトランジスタ２９ａ、２９ｂをオン又はオフにするための切替信号（電圧）が印加され、それによって各エミッタから切替端子２０ｄ、２０ｅに切替電圧が出力される。
【００１３】
　切替端子２０ｄの切替電圧は直列接続された二つの抵抗３０、３１を介して第二のオプション回路２３に供給される。二つの抵抗３０、３１の接続点は容量素子３２によって高周波的に接地される。同様に、切替端子２０ｅの切替電圧は直列接続された二つの抵抗３３、３４を介して第一のオプション回路２２に供給される。二つの抵抗３３、３４の接続点は容量素子３５によって高周波的に接地される。
【００１４】
　以上の構成において、例えば第一のオプション回路２２を機能（動作状態にする）させて信号を減衰するときには、スイッチトランジスタ２９ｂをオンとし、そのエミッタから出力される切替電圧を第一のオプション回路２２に印加する。同様に、第二のオプション回路２３を機能させてＦＭ放送帯を減衰するときには、スイッチトランジスタ２９ａをオンとし、そのエミッタから出力される切替電圧を第二のオプション回路２２に印加する。各オプション回路２２、２３を機能させないときにはスイッチトランジスタ２９ａ、２９ｂをオフとする。
【考案の開示】
【考案が解決しようとする課題】
【００１５】
　オプション回路の動作を切り替えるための切替で何つは集積回路から出力される。そのため、集積回路には切替電圧を出力する端子を設けることとなる。一般に、集積回路は端子数が増加するとパッケージサイズが大きくなり、回路規模も大きくなって集積回路自体のコストが上昇する。また、オプション回路は必ずしも必要とされるものではなく、テレビジョンチューナが使用される受信機の仕様に対応して設けられる。そのため、集積回路の共通化を図ると、オプション回路が付加されていない機種に対してもオプション回路に対応した集積回路を使用することとなってさらにコストの上昇を招くという問題がある。
【００１６】
　本考案は、集積回路の端子数を減らしてコストを下げると共に、オプション回路の付加の有無に関わらず共通の集積回路が使用できるようにすることを目的とする。
【課題を解決するための手段】
【００１７】
　上記課題を解決する手段として、入力されたテレビジョン信号を中間周波信号に変換して出力する混合器と、前記中間周波信号に同調する中間周波同調回路と、集積回路内に構成されると共に前記中間周波同調回路に結合された中間周波増幅器と、前記混合器の前段側に設けられ、特定の受信帯域又はチャンネルで動作状態又は不動作状態に切り替えられるオプション回路とを備え、前記集積回路には前記中間周波同調回路から出力された前記中間周波信号を前記中間周波増幅器に入力する入力端子と前記オプション回路の動作を切り替えるための切替制御回路とを設け、前記切替制御回路から出力される切替電圧を前記入力端子を介して前記オプション回路に供給した。
【００１８】
　また、前記中間周波増幅器を前記入力端子に交流結合し、切替制御回路はエミッタが接地されると共にコレクタが給電抵抗によって電源にプルアップされたスイッチトランジスタを有し、前記スイッチトランジスタのコレクタを高周波阻止用の抵抗を介して前記入力端子に接続した。
【００１９】
　また、前記切替電圧は前記入力端子に一端が接続された抵抗を介して前記オプション回路に供給され、前記抵抗の他端を高周波的に接地した。
【考案の効果】
【００２０】
　本考案では、集積回路内に構成されると共に中間周波同調回路に結合された中間周波増幅器と、混合器の前段側に設けられ、特定の受信帯域又はチャンネルで動作状態又は不動作状態に切り替えられるオプション回路とを備え、集積回路には中間周波同調回路から出力された中間周波信号を中間周波増幅器に入力する入力端子とオプション回路の動作を切り替えるための切替制御回路とを設け、切替制御回路から出力される切替電圧を入力端子を介してオプション回路に供給したので、入力端子は中間周波信号の入力と切替電圧の出力とに共用される。従って集積回路の端子数を減らすことが可能となりコスト低減となる。また、オプション回路の付加の有無に関わらず共通の集積回路が仕様出来る。
【００２１】
　また、中間周波増幅器を入力端子に交流結合し、切替制御回路はエミッタが接地されると共にコレクタが給電抵抗によって電源にプルアップされたスイッチトランジスタを有し、スイッチトランジスタのコレクタを高周波阻止用の抵抗を介して入力端子に接続したので、スイッチトランジスタのオン又はオフに対応して入力端子に切替電圧を出力できる。
【００２２】
　また、切替電圧は入力端子に一端が接続された抵抗を介してオプション回路に供給され、抵抗の他端を高周波的に接地したので、この抵抗が中間周波同調回路に並列接続されて中間周波同調回路のＱをダンピングできる。よって、中間周波同調回路にはＱダンプするための専用の抵抗を接続する必要がない。
【考案を実施するための最良の形態】
【００２３】
　以下、図１に従って本考案のテレビジョンチューナを説明する。アンテナ接続端子１には機能の異なる二つのオプション回路２、３が縦続接続される。第一のオプション回路２は、例えば減衰量が切り替えられるアッテネータであり、受信されたテレビジョン信号の電界強度が大きな場合に受信信号を減衰し、電界強度が小さい場合には信号を減衰しないように切り替えられる。第二のオプション回路３は、例えばＦＭトラップ回路であり、地上波のテレビジョン信号を受信する場合にはトラップ機能によってＦＭ放送帯を減衰し、ＣＡＴＶのテレビジョン信号を受信する場合にはトラップ機能を無効とするように切り替えられる。
【００２４】
　第二のオプション回路３と平衡型の混合器４との間には図示しない入力同調回路、高周波増幅器、段間同調回路等が従属的に接続される。混合器４には図示しない発振器から局部発振信号（Ｌ．Ｏ）が供給される。混合器４の出力側には中間周波同調回路５及び隣接チャンネルトラップ回路６が接続される。平衡型の中間周波同調回路５は容量素子５ａと、直列接続されると共に容量素子５ａに並列接続された二つのインダクタンス素子５ｂ、５ｃとの並列同調回路からなり、中間周波帯のほぼ中心の周波数に同調している。
【００２５】
　そして、二つのインダクタンス素子５ｂ、５ｃの接続点に印加された電源電圧Ｖｃｃが二つのインダクタンス素子５ｂ、５ｃを介して混合器４に供給される。隣接チャンネルトラップ回路６はインダクタンス素子６ａと容量素子６ｂとの並列共振回路からなり、周波数が高い方に隣接するチャンネルに対応する中間周波帯の映像信号を減衰して妨害を排除するものである。
【００２６】
　集積回路１０内には中間周波増幅器７、バイアス回路８及び切替制御回路９が構成される。中間周波増幅器７は平衡回路で構成される。また、集積回路１０には平行入力端子１０ａ、１０ｂと電源端子１０ｃとが設けられる。そして、中間周波同調回路５の一端が隣接チャンネルトラップ回路６を介して入力端子１０ａに交流結合され、他端はそのまま入力端子１０ｂに交流結合される。電源端子１０ｃには電源電圧Ｖｃｃが供給される。
【００２７】
　集積回路１０内においては、中間周波増幅器７の入力端が平行入力端子１０ａ、１０ｂに交流結合される。また、バイアス回路８は電源電圧Ｖｃｃからバイアス電圧を作って中間周波増幅器７の入力端に供給する。これによって、混合器４から出力された中間周波信号は中間周波同調回路５、隣接チャンネルトラップ回路６を介して入力端子１０ａ、１０ｂから中間周波増幅器７に入力されて増幅される。
【００２８】
　切替制御回路９は二つのスイッチトランジスタ９ａ、９ｂ等を有し、それらのコレクタにはそれぞれ給電抵抗９ｃ、９ｄを介して電源端子１０ｃに接続される。また、一方のスイッチトランジスタ９ａのコレクタは高周波阻止用の抵抗９ｅを介して一方の入力端子１０ａに接続され、他方のスイッチトランジスタ９ｂのコレクタは高周波阻止用の抵抗９ｆを介して他方の入力端１０ｂに接続される。そして、各エミッタは接地され、各ベースにはそれぞれのスイッチトランジスタ９ａ、９ｂをオン又はオフにするための切替信号（電圧）が印加される。それによって入力端子１０ｄ、１０ｅにはロー又はハイの切替電圧が出力される。よって、入力端子１０ａ、１０ｂは中間周波信号の入力と切替電圧の出力とに共用される。
【００２９】
　そして、一方の入力端子１０ａから出力される切替電圧は直列接続された二つの抵抗１１、１２を介して第二のオプション回路３に供給される。二つの抵抗１１、１２の接続点は容量素子１３によって高周波的に接地される。同様に、他方の入力端子１０ｂから出力される切替電圧は直列接続された二つの抵抗１４、１５を介して第一のオプション回路２に供給される。二つの抵抗１４、１５の接続点は容量素子１６によって高周波的に接地される。
【００３０】
　以上の構成において、第一のオプション回路２を機能（動作状態にする）させて信号を減衰するときには、例えばスイッチトランジスタ９ｂをオフとし、他方の入力端子１０ｂに出力されたハイの切替電圧を第一のオプション回路２に印加する。同様に、第二のオプション回路３を機能させてＦＭ放送帯を減衰するときには、例えばスイッチトランジスタ９ａをオンとし、一方の入力端子１０ａから出力されたハイの切替電圧を第二のオプション回路３に印加する。各オプション回路２、３を機能させないときにはスイッチトランジスタ９ａ、９ｂをオンとすればよい。
【００３１】
　なお、切替電圧を供給するための抵抗１１と１４とは高周波的に直列に接続されて二つの入力端子１０ａ、１０ｂ間に介挿されるので、中間周波同調回路５のＱをダンピングする効果を有する。従って、中間周波同調回路５に専用のダンピング抵抗を設ける必要がない。
【００３２】
　また、以上に説明した混合器４、中間周波同調回路５、中間周波増幅器７は平衡型を前提にしているが、必ずしも平衡型である必要はなく、不平衡型で構成しても同様な効果が得られる。
【図面の簡単な説明】
【００３３】
【図１】本考案のテレビジョンチューナの構成を示す回路図である。
【図２】従来のテレビジョンチューナの構成を示す回路図である。
【図３】従来のテレビジョンチューナにおける課題を説明するための回路図である。
【符号の説明】
【００３４】
　１：アンテナ接続端子
　２：第一のオプション回路
　３：第二のオプション回路
　４：混合器
　５：中間周波同調回路
　５ａ：容量素子
　５ｂ、５ｃ：インダクタンス素子
　６：隣接チャンネルトラップ回路
　６ａ：インダクタンス素子
　６ｂ：容量素子
　７：中間周波増幅器
　８：バイアス回路
　９：切替制御回路
　９ａ、９ｂ：スイッチトランジスタ
　９ｃ、９ｄ：給電抵抗
　９ｅ、９ｆ：高周波阻止用の抵抗
　１０：集積回路
　１０ａ、１０ｂ：入力端子
　１０ｃ：電源端子
　１１、１２、１４、１５：抵抗
　１３、１６：容量素子
【図１】
0003100017.tif 000003
【図２】
0003100017.tif 000004
【図３】
0003100017.tif 000005